(57)【特許請求の範囲】
【請求項１】
旋回可能に支持されている少なくとも１つのレバー（２）を備え、該レバー（２）にはスプリング（１７）によって排出方向にプリテンションがかけられている、移動可能な家具部品用の排出装置であって、
前記レバー（２）にはラッチ機構（１１、２０）が配置され、構成部品を開方向に跳び出させるために、前記ラッチ機構（１１、２０）によって前記レバー（２）を前記スプリング（１７）の力に対向して閉ポジションでロック可能であり、
前記ラッチ機構（１１、２０）は帯状部分を備える曲線ガイド（１４）を含み、
前記帯状部分にロック用窪み（２０）が形成され、
前記レバー（２）に少なくとも１つのジャーナル（１３）を含む制御エレメント（１１）が取り付けられ、
前記制御エレメント（１１）は、前記ジャーナル（１３）が前記曲線ガイド（１４）の中にかみ合うことにより、移動可能に前記レバー（２）に支持され、
前記曲線ガイド（１４）内をガイドされることを特徴とする、排出装置。
【請求項２】
前記制御エレメント（１１）は、前記レバー（２）内の長孔（９）を通るバーとして形成されていることを特徴とする、請求項１に記載の排出装置。
【請求項３】
傾斜面（２１）が、前記ロック用窪み（２０）に隣接して配置されていることを特徴とする、請求項１又は２に記載の排出装置。
【請求項４】
前記レバー（２）が、回転可能にハウジング（６）に支持されており、該ハウジング（６）には前記曲線ガイド（１４）が形成されていることを特徴とする、請求項１〜３のうちいずれか一項に記載の排出装置。
【請求項５】
前記ハウジング（６）の向かい合った内面には、溝型の前記曲線ガイド（１４）が形成されていることを特徴とする、請求項４に記載の排出装置。
【請求項６】
前記排出装置（１）は複数のレバー（２）を含み、該レバー（２）は少なくとも１つの連結エレメント（３６）を介して互いに連結され、一緒に動くことができることを特徴とする、請求項１〜５のうちいずれか一項に記載の排出装置。
【請求項７】
前記排出装置（１）が、少なくとも１つの引出しガイド（４０）を含み、引出しエレメント（３５）は前記引出しガイド（４０）に移動可能に保持されていることを特徴とする、請求項１〜６のうちいずれか一項に記載の排出装置。
【請求項８】
前記レバー（２）が、前記ラッチ機構（１１、２０）をロック解除するため、前記スプリング（１７）の力に対抗して移動することを特徴とする、請求項１〜７のうちいずれか一項に記載の排出装置。
【請求項９】
前記レバー（２）には、磁石（１１０）が配置されており、該磁石（１１０）によって、前記制御エレメント（１１）が制御可能であることを特徴とする、請求項１又は２又は８のうちいずれか一項に記載の排出装置。
【請求項１０】
前記引出しエレメント（３５）が、少なくとも１つの引出しガイド（４０）によって移動可能に保持されている家具本体（３２）を備える、家具又は家庭用品の引出し装置であって、
前記引出しエレメント（３５）が、請求項７に記載の排出装置（１）によって跳び出し可能であることを特徴とする引出し装置。
【請求項１１】
家具本体（３２）に、引出しエレメント（３５）の前記レバー（２）のストッパ（３４）が固定されていることを特徴とする、請求項９に記載の引出し装置。
【請求項１２】
前記引出しエレメント（３５）が、自動閉鎖装置（４５、４６、４７）によって閉ポジションの中にプリテンションがかけられ、前記自動閉鎖装置（４５、４６、４７）が前記排出装置（１）をストッパ（３４）に向かって押すことを特徴とする、請求項１０又は１１に記載の引出し装置。
【請求項１３】
前記引出しエレメント（３５）を開方向に動かすために、第１の排出装置から離れた場所で作用する第２の排出装置が設けられていることを特徴とする、請求項１０〜１２のうちいずれか一項に記載の引出し装置。
【請求項１４】
前記レバー（２）が、少なくとも１つの方向へ調整可能に前記引出しエレメント（３５）に保持されていることを特徴とする、請求項１０〜１３のいずれか一項に記載の引出し装置。
【請求項１５】
前記レバー（２）を少なくとも部分的に取り囲む保持エレメント（５５）が設けられており、該保持エレメント（５５）は、前記引出しエレメント（３５）と共に、前記レバー（２）を閉ポジションに保持することを特徴とする、請求項１０〜１４のうちいずれか一項に記載の引出し装置。
【請求項１６】
前記保持エレメント（５５）が曲がるように形成されており、規定の引張力を超過した場合に前記レバー（２）を開放することを特徴とする、請求項１５に記載の引出し装置。
【発明の詳細な説明】
【技術分野】
【０００１】
本発明は、旋回可能に支持されている少なくとも１つのレバーを備え、このレバーにはスプリングによって排出方向にプリテンションがかけられている、特に移動可能な家具部品用の排出装置、並びに特に家具又は家庭用品の引出し装置に関する。
【背景技術】
【０００２】
独国特許出願公開第２０２００６０２０２３６は、移動可能な家具部品の開閉装置を開示しており、この場合、少なくとも２つのロックエレメントを備えるロックユニットがあり、これらのロックエレメントは同調して、ほとんど遊びなく互いに連結されている。ロックエレメントの１つはロック機構を有しているため、押すことによって家具部品がロック解除され、続いて開方向に排出される。この装置は、多数の個別部品を使って比較的複雑に構成されており、２つのロックエレメントが切り離されているため多くのスペースを必要とする。
【先行技術文献】
【特許文献】
【０００３】
【特許文献１】独国特許出願公開第２０２００６０２０２３６
【発明の概要】
【発明が解決しようとする課題】
【０００４】
従って、本発明の課題は、小型構造であり、引出し装置と連携して、ユーザーが簡単に取り扱うことのできる移動可能な家具部品用排出装置を提供することである。
【課題を解決するための手段】
【０００５】
この課題は、請求項１の特徴を備える排出装置並びに請求項１３の特徴を備える引出し装置によって解決される。
【０００６】
本発明に基づき、レバーにはラッチ機構が配置され、このラッチ機構によって、レバーはスプリング力に対抗して閉ポジションでロック可能となる。従って、ロックが解除されると、構成部品が開方向に飛び出し、続いて構成部品によりレバーは再び閉ポジションにロックされることができる。これにより、排出装置を極めて小型に形成することができ、その他のガイドエレメント、自動閉鎖装置又は緩衝装置とは無関係に配置することができる。そのようにして形成されている排出装置は、移動可能な家具部品、例えば引出し、引き戸又はフラップなどに使用することができる。
【０００７】
好ましくは、ラッチ機構が帯状の部分を備える曲線ガイドを含み、この部分にはロック用窪みが形成されている。この場合、制御エレメントをレバーに取り付けることができ、この制御エレメントは曲線ガイド内をガイドされる。この制御エレメントは少なくとも１つのジャーナルを含み、このジャーナルが曲線ガイドの中にかみ合い移動可能にレバーに支持されている。このために、制御エレメントは、レバー内の長孔を通るバーとして形成することができ、レバーの向かい合った面にはジャーナルが突き出しており、このジャーナルはそれぞれ曲線ガイドの中に保持されている。これにより、特に安定したレバーのロックが可能になる。ロック解除のため、ロック用窪みに隣接して傾斜面を配置することができ、この傾斜面により、レバーが旋回する際にバーがレバーに対して相対的に移動可能となるため、簡単な方法でロック解除が行われ、ロック解除プロセスに僅かな距離しか必要ない。
【０００８】
好ましくは、レバーが回転可能にハウジングに支持されており、このハウジングには曲線ガイドが形成されている。この場合、ハウジングは２つの側壁を含むことができ、これらの側壁はそれぞれ内側に溝状の曲線ガイドを有しており、制御エレメントはこの曲線ガイド内をガイドされる。これにより、曲線ガイド及び制御エレメントは、ハウジング又はレバー内に保護された状態で配置されている。もちろん、レバーに曲線ガイドを形成し、例えば移動可能なジャーナルなどの制御エレメントをハウジングに形成することも可能である。
【０００９】
実施形態に基づき、本排出装置は複数のレバーを有し、これらは、連結エレメントを介して互いに連結され、一緒に動くことができる。引出しの後壁に排出装置を取り付ける場合は、複数の排出装置を引出しの幅にわたり配分して設けることが必要となることがある。これにより、排出装置は連結エレメントを介して一緒に動くため、排出装置が個々に作動するのを防止する。
【００１０】
排出装置は、さらに少なくとも１つの引出しガイドを含むことができ、引出しエレメントはこの引出しガイドに移動可能に保持されている。この引出しエレメントには、排出装置を取り付けることができ、排出装置のハウジングは家具本体などの固定部品又は引出しエレメントのいずれかに選択的に取り付けられている。レバーをロック解除するため、引出しエレメントは閉方向に移動させることができ、これによってレバーがスプリング力に対抗して動き、ロックが解除される。
【００１１】
もう１つの変更例では、レバーに磁石が設けられており、この磁石によって制御エレメントを制御することができる。この場合、好ましくは、制御エレメントが金属製であるため、曲線ガイドの特定のポジション、特に磁石がないと制御エレメントが間違った方向に移動するおそれのある分岐部分で、この磁石が制御エレメントに作用する。これにより、誤作動が確実に防止される。さらに、磁石がロック用窪み部分で制御エレメントに作用する際、レバーをロック解除するための切替え経路を最小限まで短縮することができるため、ロック用窪み又はキャッチから出る制御エレメントの最小限の動きで、力が制御エレメントに作用する。この磁力により重力の影響も軽減されるため、本発明に基づく排出装置を、例えば頭上でレバーを下向きにするなど、様々なポジションに問題なく取り付けることができる。レバーの簡単なロック解除により、この排出装置は、特に幅の広い引出しやパネル間の小さな隙間にも使用することができる。もちろん、１個の磁石の代わりに複数の磁石をレバーに設けることも可能である。
【００１２】
さらに、家具本体を含む引出し装置も提供され、この家具本体には、引出しエレメントが少なくとも１つの引出しガイドによって移動可能に保持されており、この引出しエレメントは本発明に基づく排出装置によって跳び出させることができる。この場合、排出装置は引出しエレメントの裏面に固定することができ、後壁又はストッパに取り付けられているレバーと相互作用させ、引出しエレメントを閉ポジションから軽く開かれたポジションに動かすことができる。
【００１３】
好ましくは、引出し装置が第１の排出装置を具備しており、この第１の排出装置は、例えば自動閉鎖装置として実施されている閉鎖装置よりも長い距離にわたって作用することができる。次に、押すことによって、この引出しエレメントは閉ポジションに動き、レバーがロックされる。
【００１４】
もう１つの実施形態に従って、このレバーは、開方向に調整可能に引出しエレメントに保持されている。これにより、レバーを引出しエレメントに取り付けた後でも、例えば、家具本体に対してフロントパネルの隙間の大きさを調整するために、さらに調整を行うことができる。この調整は、例えば、レバーを取り付けた状態でも開方向及び閉方向にレバーを移動させることができる偏心機構又はその他の調整装置によって行うことができる。
【００１５】
さらに、引出し装置には、引出しエレメントを閉ポジションから軽く開かれたポジションに動かすことのできる第１の排出装置と、第１の排出装置から離れた場所で作用する第２の排出装置とを設けることができる。これにより、この引出しエレメントを、両方の排出装置の間の中間ポジションで、例えば自動閉鎖装置によってロックすることができる。なぜなら、両方の排出装置及び自動閉鎖装置によって引出しエレメントにかけられるそれぞれの力が、部分的に重なり合うからである。このことにより、ユーザーは軽く開かれたポジション又は閉ポジションのいずれか一方を選んで引出しエレメントをロックできることから、高いレベルの操作快適性が提供される。
【００１６】
代替の方法として、第１の排出装置の力は閉鎖装置又は自動閉鎖装置の力に重なり合うことから、第１の排出装置によって引出しエレメントが加速され、中間ポジションなしに第２の排出装置に達し、次に、引出しエレメントはこの第２の引出し装置によってさらに加速される。排出力が少なくとも２つの排出装置に分配されることにより、第１の排出装置の作動力が減少し、引出しエレメントはより長い距離にわたって加速される。さらに、引出しエレメントが引出しとして実施される場合、作動フィールドはパネルのほぼ全体に達する。この場合、これらの排出装置は、互いに離れた場所に配置することができるか、又は部分的に重なり合うこともできる。
【００１７】
閉鎖装置は、作動機構がロックされた状態において、第１の排出装置のレバーに取り付けられているローラが常にストッパに接触するように作用する。これにより、作動機構の直接的反応が保障されている。さらに、例えば家具本体が開方向に振動したり、傾いたりすることにより、引出しエレメントが意図せずにボディから引き出されることはない。
【００１８】
引出しエレメントを手動で開けることにより、閉鎖装置に打ち勝つことができる。第２の排出装置が作動すると、少なくとも、ユーザーは引出しエレメントを開ける際に支援される。開方向へ手動で開ける場合、第２の排出装置の作動機構はロックされたままになっている。
【００１９】
閉プロセスの際に、閉鎖装置がアクチベータとかみ合って、引出しガイドのスライドレールに達すると、第２の排出装置のレバーに取り付けられているローラがストッパに接触するまで、引出しエレメントは閉められる。
【００２０】
次の開プロセスは、引出しエレメントを閉方向に押すか、又は開方向に引くかのいずれかによって作動させることができる。
【００２１】
好ましいのは、レバーを少なくとも部分的に取り囲む保持エレメントが設けられていることであり、この保持エレメントは、引出しエレメントと共に、レバーを閉ポジションに保持する。これにより、レバーは、保持エレメントと共に引出しエレメントの閉鎖機能を有することができるため、追加の自動閉鎖装置は必要ない。この場合、規定の引張力を超過するとレバーが開放されるように、この保持エレメントを曲がるように形成することができる。これにより、保持エレメントの損傷が防止される。
【００２２】
以下に、添付の図に関連する複数の実施例を用いて、本発明を詳しく説明する。
【図面の簡単な説明】
【００２３】
【図１】発明に基づく排出装置の斜視図である。
【図２】図１の排出装置を展開した斜視図である。
【図３Ａ】閉ポジションにおける図１の排出装置を示す図である。
【図３Ｂ】閉ポジションにおける図１の排出装置を示す図である。
【図４Ａ】ロック解除ポジションにおける図１の排出装置を示す図である。
【図４Ｂ】ロック解除ポジションにおける図１の排出装置を示す図である。
【図５Ａ】開ポジションにおける図１の排出装置を示す図である。
【図５Ｂ】開ポジションにおける図１の排出装置を示す図である。
【図６Ａ】閉ポジションに達する直前の図１の排出装置を示す図である。
【図６Ｂ】閉ポジションに達する直前の図１の排出装置を示す図である。
【図７Ａ】閉ポジションにある排出装置を備える家具を示す図である。
【図７Ｂ】閉ポジションにある排出装置を備える家具を示す図である。
【図８Ａ】ロック解除時の排出装置を備える家具を示す図である。
【図８Ｂ】ロック解除時の排出装置を備える家具を示す図である。
【図９Ａ】軽く開かれたポジションにある排出装置を備える家具を示す図である。
【図９Ｂ】軽く開かれたポジションにある排出装置を備える家具を示す図である。
【図１０Ａ】開ポジションにある排出装置を備える家具を示す図である。
【図１０Ｂ】開ポジションにある排出装置を備える家具を示す図である。
【図１１Ａ】排出装置を備える引出しエレメントを示す複数の図である。
【図１１Ｂ】排出装置を備える引出しエレメントを示す複数の図である。
【図１１Ｃ】排出装置を備える引出しエレメントを示す複数の図である。
【図１２Ａ】図１１の排出装置の引出しガイドを示す図である。
【図１２Ｂ】図１１の排出装置の引出しガイドを示す図である。
【図１３】図１１の引出し装置の力と距離のグラフである。
【図１４】排出装置の変更実施例の斜視図である。
【図１５】図１４の排出装置を展開した斜視図である。
【図１６Ａ】様々な調整ポジションにある、図１４の排出装置を示す図である。
【図１６Ｂ】様々な調整ポジションにある、図１４の排出装置を示す図である。
【図１７Ａ】様々な調整ポジションにある、図１４の排出装置を示す図である。
【図１７Ｂ】様々な調整ポジションにある、図１４の排出装置を示す図である。
【図１８Ａ】様々な調整ポジションにある、図１４の排出装置を示す図である。
【図１８Ｂ】様々な調整ポジションにある、図１４の排出装置を示す図である。
【図１９Ａ】様々な調整されたフロントパネルを備える家具を示す図である。
【図１９Ｂ】様々な調整されたフロントパネルを備える家具を示す図である。
【図２０】排出装置を取り付けた引出しエレメントを示す斜視図である。
【図２１】排出装置の変更実施例を展開した斜視図である。
【図２２Ａ】調整ディスクを示す図である。
【図２２Ｂ】調整ディスクを示す図である。
【図２２Ｃ】調整ディスクを示す図である。
【図２３】図２１の排出装置を示す図である。
【図２４】図２１の排出装置を示す図である。
【図２５Ａ】様々なポジションにある排出装置のもう１つの実施形態を示す複数の図である。
【図２５Ｂ】様々なポジションにある排出装置のもう１つの実施形態を示す複数の図である。
【図２５Ｃ】様々なポジションにある排出装置のもう１つの実施形態を示す複数の図である。
【図２５Ｄ】様々なポジションにある排出装置のもう１つの実施形態を示す複数の図である。
【図２６Ａ】引出しエレメントに引張力を加えた場合の図２５の実施例を示す複数の図である。
【図２６Ｂ】引出しエレメントに引張力を加えた場合の図２５の実施例を示す複数の図である。
【図２６Ｃ】引出しエレメントに引張力を加えた場合の図２５の実施例を示す複数の図である。
【図２６Ｄ】引出しエレメントに引張力を加えた場合の図２５の実施例を示す複数の図である。
【図２６Ｅ】引出しエレメントに引張力を加えた場合の図２５の実施例を示す複数の図である。
【図２７】本発明に基づく排出装置のもう１つの実施例を示す２つの斜視図である。
【図２８】本発明に基づく排出装置のもう１つの実施例を示す２つの斜視図である。
【図２９】様々なポジションにある図２７及び図２８の排出装置を示す複数の図である。
【図３０】様々なポジションにある図２７及び図２８の排出装置を示す複数の図である。
【図３１】様々なポジションにある図２７及び図２８の排出装置を示す複数の図である。
【図３２】様々なポジションにある図２７及び図２８の排出装置を示す複数の図である。
【図３３】様々なポジションにある図２７及び図２８の排出装置を示す複数の図である。
【図３４】様々なポジションにある図２７及び図２８の排出装置を示す複数の図である。
【図３５】様々なポジションにある図２７及び図２８の排出装置を示す複数の図である。
【図３６】様々なポジションにある図２７及び図２８の排出装置を示す複数の図である。
【発明を実施するための形態】
【００２４】
排出装置１はレバー２を含み、レバー２の一方の端部にはローラ３が回転可能に支持されている。ローラ３は、向かい合った面に、突出するピン４を有しており、これらのピン４は２つの脚５の間にある支持部に固定され、脚５はレバー２と一体形成されている。
【００２５】
レバー２は、軸７を中心に回転可能にハウジング６に支持され、ハウジング６は前壁１６を有し、この前壁１６は２つの側壁６０を互いに接続している。側壁６０の各内面には、溝状の曲線ガイド１４があけられ、この曲線ガイド１４は制御エレメント１１を取り付けための外側へ開かれているダクト１５を有している。制御エレメント１１はバーとして形成され、シリンダ型に形成されており、向かい合った端部には半径方向に突出しているリング１２を有し、このリング１２には横側に突出したジャーナル１３が接続している。このジャーナル１３は、それぞれ曲線ガイド１４内に移動可能に保持されている。
【００２６】
この場合、制御エレメント１１は、レバー２の中にあけられている長孔９を通る。長孔９は太いヘッド部分１０を含み、このヘッド部分１０からリング型ディスク１２を備える制御エレメント１１を挿入することができ、制御エレメント１は、次に、軸方向に長孔９の範囲内を確実に移動することができる。長孔９はローラ３の回転軸及び回転軸７に対して面一に延びているか、又はローラ３と回転軸７とで形成される面に延びているため、制御エレメント１１は長孔９の中をレバー２の半径方向に動くことができる。
【００２７】
レバー２は、スプリング１７によって開方向にプリテンションがかけられており、スプリング１７の脚１８が前壁１６に接触し、向かい合った脚１９はレバー２に接触している。
【００２８】
図３〜６には、様々なポジションにおける排出装置１の機能が示されている。
【００２９】
図３Ａ及び３Ｂでは、レバー２が閉ポジションに配置されている。制御エレメント１１のジャーナル１３はロック用窪み２０にあり、この窪み２０は曲線ガイド１４の帯状部分の突出部によって形成されている。 スプリング１７が軸７を取り囲むレバー２を右へ押すと、それによって、ジャーナル１３はロック用窪み２０の中に収まる。
【００３０】
レバー２をロックポジションからロック解除するためには、まずこのレバー２が閉方向に押され（図４Ａ及び４Ｂ）、それによってレバー２が反時計回りに旋回する。これにより、制御エレメント１１のジャーナル１３が曲線ガイド１４の傾斜部２１に向かって押され、長孔９の範囲内で曲線ガイド１４の末端ダクト２２の中に下方に移動する。
【００３１】
制御エレメント１１がロック解除されると、この制御エレメント１１は曲線ガイドの範囲内で自由に移動することができ、末端部分２２から帯状部分の繰出しダクト２３の中に達する。レバー２はスプリング１７の力によってストッパのあるエンドダクト２４まで時計回りに旋回し、ジャーナル１３はレバー２の軽く開かれたポジションにおいてこのストッパに接触している（図５Ａ及び５Ｂ）。
【００３２】
次に、レバー２を再び閉ポジションに動かすためには、例えば可動家具部品などの構成部品を、レバー２に取り付けられているローラ３に向かって押し、レバー２を反時計回りに動かす。これにより、制御エレメント１１のジャーナル１３が帯状部分の収納ダクト２５の中に入り、ロック用窪み２０に隣接して配置されている上部末端ダクト２６の中まで達する（図６Ａ及び６Ｂ）。次に、このポジションにおいて、ユーザーは可動構成部品を放すことができるため、スプリング１７がレバー２を再び時計回りに押し、これにより制御エレメント１１のジャーナル１３は上部末端ダクト２６からロック用窪み２０へ動かされるため、図３Ａ及び３Ｂに示されているポジションに再び到達する。
【００３３】
図７Ａ〜１０Ｂには、家具３０に取り付けられている状態の図１の排出装置が示されている。家具３０は、少なくとも１つの引出しエレメント３５が移動可能に支持されている家具本体３２を含んでいる。この引出しエレメント３５は、フロントパネル３１を有する引出しとして形成されている。フロントパネル３１の反対側の面には排出装置１のハウジング６が取り付けられており、このハウジング６にレバー２が旋回可能に支持されている。家具本体３２にはブラケットが固定されており、このブラケットの脚によってレバー２のストッパ３４が形成されている。図７Ａ及び７Ｂには、引出しの閉ポジションが示されている。
【００３４】
排出装置１をロック解除するために、フロントパネル３１はさらに閉方向に家具本体３２の中に押し込まれる。これにより、ハウジング６の裏側のストップ面７０が家具本体の後壁３３に接触する。しかし、このことは距離を制限することのみに働き、ロック解除には作用しない。ロックを解除するため、レバー２のローラ３がストッパ３４に向かって押されと、レバーが僅かに反時計回りに旋回し、制御エレメント１１がロック用窪み２０から動かされる（図４Ａ及び４Ｂ）。
【００３５】
ロックが解除されると、排出装置１はスプリング１７の力によって、ストッパ３４によりかかっているレバー２を時計回りに旋回させることができる。これにより、引出しエレメント３５は、図９Ａ及び９Ｂに示されているように、軽く開けられたポジションに動かされる。
【００３６】
軽く開けられたポジションに達すると、引出しエレメント３５は排出装置１とは無関係に移動することができ、この時、図１０Ａ及び１０Ｂに示されているように、レバー２はストッパ３４から離れたところに位置している。引出しエレメント３５を再び閉ポジションにするためには、このエレメントを閉方向に動かして、レバー２をストッパ３４に接触させ、次に、図６Ａ及び８Ｂに示されているポジションに達するまで反時計回りにスプリング１７の力に対抗してレバー２を旋回させる。続いて、フロントパネル３１又はグリップエレメントが放されると、スプリング１７が引出しエレメント３５を軽く開き、それによって引出しエレメントが排出装置１にロックされる。
【００３７】
図１１Ａ〜１１Ｃには、引出しエレメント３５が詳しく示されている。この引出しエレメント３５は、フロントパネル３１が固定されているボックス型構造を有している。引出しエレメント３５の向かい合った面には、引出しエレメント３５が移動可能に保持されている引出しガイド４０が配置されている。引出しエレメント３５の後壁３３には、２つのハウジング６が固定されており、これらのハウジング６には、それぞれレバー２が旋回可能に支持されている。これらのレバー２はロッド３６によって互いに接続されているため、同時にしか動かすことができない。従って、フロントパネル３１に横から負荷がかかる場合も、両方の排出装置１のロックが解除される可能性がある。それぞれの排出装置１に対してブラケット３４が家具本体３２に固定されており、このブラケット３４の脚がレバー２のストッパを形成している。
【００３８】
図１２Ａ及び１２Ｂには引出しガイド４０が示されており、この引出しガイドには引出しエレメント３５が移動可能に保持されている。引出しガイド４０は、家具本体３２に取り付けられているガイドレール４１を含んでいる。ガイドレール４１には、必要に応じて、１つ又は複数のセンタレールを中間に接続した状態で、にスライドレール４２が移動可能に支持されており、このスライドレール４２には引出しエレメント３５が固定されている。スライドレール４２には、突起型のアクチベータ４４が固定されており、このアクチベータ４４は自動閉鎖装置と第２の排出装置に連結可能である。
【００３９】
このために、引出しガイド４０にはハウジング４３が形成されており、このハウジング４３には第１のドライバ４５と第２のドライバ４８用の曲線ガイドが形成されている。第１のドライバ４５は、曲線ガイドに移動可能に支持されており、この曲線ガイドは向かい合った面に角度のある終端部分を有し、この終端部分でドライバ４５が旋回することができ、アクチベータ４４を開放する。ドライバ４５は、引込みスプリング４７によって閉方向にプリテンションがかけられている。この場合、ドライバ４５は区間を曲線ガイドに沿って移動可能であり、この区間は、排出装置１のレバー２によって軽く開けられたポジションに動かされる引出しエレメント３５の区間よりも短い。従って、引出しエレメント３５が開方向に動かされると、この開動作はまず排出装置１のレバー２によって支援され、そのように加速された引出しエレメント３５はスライドガイド４２をさらに開方向に動かす。この短い区間（例えば０．５〜５ｃｍ）の後、ドライバ４５は角度のある終端部分に達し、そこで旋回するため、アクチベータ４４がドライバ４５とは無関係に動かされる。アクチベータ４４は、次に、もう１つの曲線ガイドに沿ってハウジング４３に移動可能に支持されている第２のドライバ４８とかみ合う。この場合、曲線ガイドは角度のある終端部分を有しているため、アクチベータ４４はドライバ４８をこの角度のある終端部分から引き出し、次にこのドライバ４８は開スプリング５０の力によって開方向に引っ張られる。これにより、引出しエレメント３５の開動作は再び第２の排出装置によって支援される。この場合、ドライバ４８にはアクチベータ４４用のキャッチ４９が設けられているため、曲線ガイドの直線部分において、アクチベータ４４と第２のドライバ４８との間の連結が保障されている。同様に、第１のドライバ４５もアクチベータ４４用のキャッチ４６を有している。引出しエレメント３５が繰り出す場合、アクチベータ４４はかみ合いから外れ、ドライバ４８を自由に越えることができる。
【００４０】
図１３には、引出しエレメント３５の力と距離のグラフが示されている。広く開けられている範囲では、第１の排出装置８１及び第２の排出装置８２、並びに自動閉鎖装置として実施されている閉鎖装置８３が作用せず、引出しエレメント３５はスライドレール４２によって自由に移動することができる。引出し装置３５が閉方向に動く場合、まず、アクチベータ４４がドライバ４８と接続され、次に、閉方向へ開スプリング５０の力に打ち勝つ必要があることから、第２の排出装置８２が作動する。ドライバ４８が曲線ガイドの角度のある終端部分に達すると、ドライバ４８が旋回し、アクチベータ４４を開放する。これにより、短い移行部分において、第２の排出装置８２による力はアクチベータに作用しない。次に、排出装置１、１’、８１のローラ３、３’がストッパ３４に接触する。引出しエレメント３５を完全に閉められたポジションに動かしたい場合、スプリング１７の力に打ち勝ち、引出しエレメント３５を完全に家具本体３２の中に押し込むことが必要であり、それによって排出装置１、１’、８１は閉ポジションにロックされる。さらに、アクチベータ４４は引込みスプリング４７の力により閉方向に引かれるドライバ４８とかみ合う。さらに、力と距離のグラフでは、システム摩擦８４及びその結果生じる力の経過８５が示されている。
【００４１】
図１４には、排出装置１’の変更された実施例が示されており、この場合、旋回可能なレバー２はハウジング６に支持されており、このことは前述した実施例で説明されている。  レバー２には、端部に回転可能なローラ３’が形成されており、このローラ３’は複数のリング型のリブを有し、それらの間にはリング型の凹部が設けられている。この場合、ローラ３’は弾力のある材料から作られ、ローラ３’の形状により、衝突時の騒音の発生が少なくなる。この場合、ローラ３’は角度のついたストッパ３４に接触することができ、このストッパ３４は家具本体に取り付けられる。
【００４２】
ハウジング６は、調整機構によって引出しエレメントに保持されているため、レバー２はハウジング６と一緒に開方向に調整されることができる。この調整機構はプレート６１を含み、このプレート６１にハウジング６が固定されている。プレート６１は、突出した端部が取付けプレート６４に隣接して配置されており、この取付けプレート６４は引出しエレメント３５に固定される。このために取付けプレート６４には２つのプラグ６８が固定されており、これらのプラグは引出しエレメント３５の底面の該当する開口部にはめ込むことができる。
【００４３】
図１５には、調整機構の個別部品が示されている。プラグ６６はボルト６７によってプレート６１に固定され、その際、プラグ６６はボルト６７がねじ込まれる際に拡大し、開口部に固定される。
【００４４】
プレート６１には、取付けプレート６４の部分に、開方向に対して垂直に合わせられた長孔６２があけられ、この長孔６２の中にカム６３がはめ込まれている。カム６３は、偏心配置されたプラグ７３を含み、このプラグ７３は、取付けプレート６４の中央開口部６５の中にはめ込まれている。さらに２つのピン６８が設けられており、これらはプレート６１の開口部の中にはめ込まれており、それぞれ取付けプレート６４の長孔６７の中を開方向にガイドされている。
【００４５】
図１６Ａ及び１６Ｂには、ピン６８が長孔６９の中央部に配置されているポジションの調整機構が示されている。このポジションから、ピン６８は、カム６３の回転によって閉方向には長さｔの分だけ移動し、開方向には長さｓの分だけ移動することができ、従って調整範囲ｖが生じる。カム６３の中には、ドライバなどのツール用保持部が形成されているため、引出しエレメントの下側からカム６３を回転させることにより、開ポジションを調整することができる。
【００４６】
図１７及び１７Ｂには、調整機構のポジションが最大閉方向に配置されている場合を示している。ピン６８は長孔６９の端部に達している。
【００４７】
図１８では、カム６３が逆方向に回転させられたため、ピン６８が最大開方向に配置されている。
【００４８】
この調整動作は、家具の側では図１９Ａ及び１９Ｂに示されているように見える図１９Ａでは、フロントパネル３１が家具本体３２に直接接触し、そのため初期のパネルの隙間ｙは距離ｔの分だけ縮小されている。
【００４９】
図１９Ｂでは、フロントパネル３１と家具本体３２との間の開口隙間が拡大され、その際、初期の開口隙間ｙが距離ｓの分だけ拡大されている。これにより、家具本体３２に対するフロントパネル３１の後調整を、調整機構によって行うことができる。
【００５０】
図２０には、引出しとして形成されている引出しエレメント３５が排出装置を取り付けた状態で示されている。排出装置は、ハウジング６と共にプレート６１に保持されており、プレート６１は取付けプレート６４に対して調整可能である。
【００５１】
本発明は、示されている実施例に制限されない。もちろん１つ又は複数の排出装置１を引出しエレメント３５に取り付けることができる。引出しの代わりに、引出しエレメント３５は引き戸として又はその他の直線的に移動可能な構成部品としても形成することができる。さらに、排出装置１は、もちろん、プラップ、ドア又はその他の移動可能な構成部品にも使用することができる。
【００５２】
もう１つの図示されていない実施例では、引出しエレメント３５を、２つの排出装置の作用範囲の間にある中間ポジションでロックすることができる。自動閉鎖装置は第１の排出装置よりも大きな作用範囲を有しており、自動閉鎖装置のスプリングは排出装置１のレバー２に向かって引出しエレメントを押す。排出装置１のスプリング１７の力は、そのような中間ロックを可能にするため、自動閉鎖装置のスプリング力よりも大きい。
【００５３】
図２１には、旋回可能なレバー２を備える排出装置のもう１つの実施例が示されており、このレバー２は、図１４に示されている実施例に従って、ハウジング６に支持されており、片側に回転可能なローラ３’を有している。レバー２には、曲線ガイド１４内を移動可能な制御エレメント１１が通されている。ハウジング６は、プレート９７に固定され、その際、プレート９７は凹部１００を有し、その中にハウジング６の突出部が差し込まれている。さらに、プレート９７は、引出しエレメント３５の移動方向に長いスロット９８を含んでいる。このスロット９８の中にはロックエレメント１０７がかみ合い、これらのエレメントは調整プロセスの際にスロット９８の中を滑る。スロット９８はスライド面を有し、このスライド面上をロックエレメント１０７の突出部が滑ることができる。
【００５４】
さらに、取付けプレート１０１が設けられており、このプレートは、例えば、開口部１０２を通るボルトによって、引出しエレメント３５に固定することができる。取付けプレート１０１には、開口部１０４を備える支持部１０３が調整ディスク１０５を回転可能に支持するために設けられており、この場合、調整ディスク１０５はプラグ９６と一緒に開口部１０４の中にかみ合い、リブ状の調整ウォーム１０６を有している。この場合、調整ディスク１０５は、取付けプレート１０１の上に突き出しているため、手で回すことができる。図２２Ａ〜２２Ｃに示されているように、プラグ９６はツールホルダ１０８を有しており、ツールを使って操作することができる。
【００５５】
図２３で分かるように、プレート９７は調整ディスク１０５に向かい合う面に、隣り合う突出部９９を持つ列を含み、これらの突出部は調整ウォーム１０６の間にかみ合うため、調整ディスク１０５が回転すると、プレート９７は取付けプレート１０１に対して移動する。これにより、ハウジング６はレバー２と共に引出しエレメント３５の運動方向に移動することができる。これにより、図２４に示されているように、調整ディスク１０５によってパネルの隙間調整を行うことができる。
【００５６】
図２５Ａ〜２６Ｅでは、すでに説明した排出装置が引出しエレメント３５に固定されており、この場合、ハウジング６に回転可能に支持されているレバー２のローラ３’が、ブラケットによって形成されているストッパ３４に接触している。ブラケット３４には、さらに、板バネなどの保持エレメント５５が設けられている。
【００５７】
図２５Ａには、閉ポジションにある引出しエレメント３５が示され、フロントパネル３１と家具本体３２とは僅かに離れている。フロントパネル３１に軽い引張力が作用すると、保持エレメント５５は引出しエレメント３５が開くのを防止する。なぜなら、保持エレメント５５はローラ３’を乗り越えており、引出しエレメント３５が開くのを防いでいるからである。
【００５８】
次に、フロントパネル３１が押し込まれ、ロック機構がロック解除（図２５Ｂ）されると、ハウジング６は家具本体の中にさらに入り込むものの、最初は、レバー２のローラ３’のポジションは変化しない。ロック機構のロック解除後、ストッパ３４に接触しているレバー２が押され、その際、レバー２は時計回りに旋回する。それによって、ローラ３’が下方へ滑り、保持エレメント５５（図２５Ｃ）から離れる。
【００５９】
図２５Ｄには、開ポジションの引出しエレメント３５が示されており、レバー２はストッパ３４及び保持エレメント５５から離れた場所に位置している。引出しエレメント３５が再び閉ポジションにされると、 レバー２のローラ３’がまずストッパ３４に接触し、次にローラ３’が再び保持エレメント５５に接触するまで旋回する。そうすると、図２５Ａに示されているポジションが達成される。
【００６０】
図２６Ａには、図２５で示された閉ポジションにある排出装置が示されている。フロントパネル３１への押込み力の代わりに、フロントパネル３１へ引張力が作用する場合、まず、曲がることのできる保持エレメント５５がレバー２のローラ３’を閉ポジションに保持し、その際、ロック機構はロック解除されない。しかし、特定の力を超えると、保持エレメント５５が上方へ曲がり（図２６Ｂ）、レバー２のローラ３’がストッパ３４から離れる。次に、保持エレメント５５のスプリング力に打ち勝つことによって、引出しエレメント３５が開けられる（図２６Ｃ）。図２６Ｄでは、開ポジションの引出しエレメント３５が示されており、このポジションでは、作動していないレバー２がストッパ３４から離れている。
【００６１】
次に、引出しエレメント３５を再び閉ポジションにしたい場合、レバー２のローラ３’が、まず、ストッパ３４のほうへ曲がっている保持エレメント５５に接触する。保持エレメント５５の力により、レバー２は僅かに反時計回りの方向に旋回するため、ロック機構が作動する。引出しエレメント３５は、ロック機構の作動後、開方向に移動する。その後、引出しエレメント３５は、ロック機構のロックまでユーザーによって閉方向に動かされる。この場合、レバー２は、図２６Ａに示されているポジションに達するまで、再びストッパ３４に沿って保持エレメント５５の下で上方へ移動する。このプロセスは、排出装置の構成部品を損傷から保護する。
【００６２】
図２５及び２６に示されている実施例では、保持エレメント５５が、例えばプラスチック又は金属製の板バネとして、曲がるように形成されている。この保持エレメント５５を曲がらないように形成することも可能であるが、それによって引出しエレメント３５はフロントパネル３１を引くことによって開けることができなくなる。そのため、引出しエレメント３５を開けるには、押し込んで、ロック機構をロック解除することによってのみ行うことができる。
【００６３】
図２７及び２８には、本発明に基づく排出装置のもう１つの実施例が示されており、この場合、レバー２は軸７を中心に回転可能に支持されている。レバー２の片側には回転可能なローラ３’が配置されており、このローラ３’はピン４でレバー２の脚５に保持されている。ローラ３’には、弾力のある材料から作られているリング３”、特にゴム製リングが配置され、ローラ３’又はリング３”がストッパ３４に接触する際の衝突音を防止する。
【００６４】
レバー２を旋回可能に支持しているハウジング６は、プレート９７’上にあり、このプレート９７’は移動可能に取付けプレート１０１’に保持されている。このために、プレート９７’はエッジ側に突起部９８’を有しており、これらは取付けプレート１０１’の対応する側面ガイドの中に保持されている。これらのガイドは、内側を向く突出部１０７’を有し、これらの突出部１０７’が突起部９８’に重なり合う。取付けプレート１０１’には、前述した実施例の場合と同様に、開口部１０４’を備える支持部１０３’が形成されており、この支持部１０３’には調整ウォーム１０６’を備える調整ディスク１０５’が回転可能に支持されている。調整ウォーム１０６’は、プレート９７’の下部に配置されている突出部の中にかみ合うため、調整ディスク１０５’を回転させることにより、プレート９７’のポジションが変更され、パネルの隙間を調整するか、又はハウジング６の位置を別の位置に合わせる。  
【００６５】
ハウジング６の側壁６０には、スプリング１７の脚１８用の支持部５６が形成されている。スプリング１７の向かい合った面に形成されている脚１８は、レバー２の中にあけられている支持部５７の中に差し込まれる。
【００６６】
さらに、レバー２には長孔９に隣接して、磁石１１０用の凹部が形成されている。磁石１１０は、金属、好ましくは鋼製の制御エレメント１１に引力を及ぼす。有利な効果を利用するため、制御エレメント１１は、好ましくは強磁性材料から製造されている。
【００６７】
図２９及び３０には、ロックされた制御エレメント１１によって引出しエレメントが閉ポジションにある排出装置が示されている。レバー２のローラ３’は、図２５及び２６に関連して説明されたように、ストッパ３４に接触することができる。閉じられたロックポジションでは、制御エレメント１１のジャーナル１３はロック用窪み２０又は曲線ガイド１４のキャッチの中にある。マグネット１１０は、制御エレメント１１の少し下にあるため、磁力は矢印１１１の方向に作用し、長孔９内の制御エレメント１３を下方へ引っ張る。しかし、制御エレメント１１は、向かい合った面に取り付けられているジャーナル１３によってロック用溝２０の中に保持されているため、下方へ動くことはできない。
【００６８】
次に、引出しエレメントが閉方向へ動くことによってレバー２がロック解除されると、図３１に示されているポジションになる。レバー２が反時計回りに旋回するとすぐに、磁石１１０は制御エレメント１１を下方へ末端ダクト２２の方に引っ張るため、制御エレメント１３はロック解除される。急激な動作の際、制御エレメント１１の移動による機械的なロック解除が傾斜部２１に沿って可能であっても、制御エレメント１１が傾斜部２１に向かって動く必要はない。頭上に取り付ける場合も、制御エレメント１１が重力に逆らって移動することにより、制御エレメント１１は磁石１１０の力によってロック解除できると考えられる。
【００６９】
図３２では、レバー２がさらに反時計回りに旋回しているので、制御エレメントのジャーナル１３が末端ダクト２２の中に入り込む。次に、引出しエレメントが放されると、レバー２はスプリング１７の力によって時計回りに旋回し、引出しエレメントを跳び出させる。これによって、制御エレメント１１のジャーナル１３は曲線ガイド１４に沿って帯状部分の繰出しダクト２３の中に移動し、図３３に示されているポジションになる。帯状部分にはコーナ部分が含まれ、この場合、エンドダクト２４は省略されている。制御エレメント１１がこのコーナ部分に達した場合、レバー２はそのエンドポジションにある。
【００７０】
図３４に示されているように、制御エレメント１１は、レバー２のエンドポジションにおいて磁石１１０と隣接しており、この磁石１１０は、次に、矢印１１２で示されているように、制御エレメント１１を長孔９に沿って上方へ引っ張る。このコーナ部分は、制御エレメント１１のために分岐部分を形成している。というのも、制御エレメント１１は、選択的に、繰出しダクト２３に戻るか、又は収納ダクト２５の中に移動することができるからである。磁石１１０の力があるため、制御エレメント１１は、繰出しダクト２３とは反対の収納ダクト２５側に保持されるため、誤作動が確実に回避される。
【００７１】
図３５に示されているように、重力が制御エレメント１１を下方へ引っ張っても、制御エレメントのジャーナル１３は収納ダクト２５の上方の壁にある。重力は磁石１１０の力よりも小さいため、制御エレメント１１は、繰出しダクト２３の反対側にある、収納ダクト２５の上方の壁に沿って移動する。
【００７２】
レバー２は引出しエレメントが収納される場合、再び、反時計回りに旋回し、図３６に示されているポジションになる。制御エレメント１１は、この場合、上部の末端ダクト２６の中を移動しているため、次に、引出しエレメントが放されると、スプリング１７はレバー２を時計回りに旋回させる。そうすると、制御エレメント１１は再びロック用窪み２０の中に押し込まれ、図２９及び３０に示されているポジションになる。
【符号の説明】
【００７３】
１            排出装置
１’            排出装置
２            レバー
３            ローラ
３’            ローラ
３”            リング
４            ピン
５            脚
６            ハウジング
７            軸
９            長孔
１０            ヘッド部分
１１            制御エレメント
１２            リング／ディスク
１３            ジャーナル
１４            曲線ガイド
１５            ダクト
１６            前壁
１７            スプリング
１８            脚
１９            脚
２０            ロック用窪み
２１            傾斜部
２２            末端ダクト
２３            繰出しダクト
２４            エンドダクト
２５            収納ダクト
２６            末端ダクト
３０            家具
３１            フロントパネル
３２            家具本体
３３            後壁
３４            ストッパ
３５            引出しエレメント
３６            ロッド
４０            引出しガイド
４１            ガイドレール
４２            スライドレール
４３            ハウジング
４４            アクチベータ
４５            ドライバ
４６            キャッチ
４７            引込みスプリング
４８            ドライバ
４９            キャッチ
５０            開口スプリング
５５            保持エレメント
６０            側壁
６１            プレート
６２            長孔
６３            カム
６４            取付けプレート
６５            開口部
６６            プラグ
６７            ボルト
６８            ピン
６９            長孔
７０            ストップ面
７５            プラグ
８１            排出装置１
８２            排出装置２
８３            閉鎖装置
８４            システム摩擦
８５            結果として生じる力の経過
８６            取付けプレート
８７            開口部
８８            キャッチ
８９            開口部
９０            調整ディスク
９１            調整ディスク
９２            プレート
９３            スロット
９４            突出部
９５            凹部
９６            プラグ
９７            プレート
９７’            プレート
９８            スロット
９８’            突起部
９９            突出部
１００            凹部
１０１            取付けプレート
１０１’取付けプレート
１０２            開口部
１０３            支持部
１０３’支持部
１０４            開口部
１０４’開口部
１０５            調整ディスク
１０５’調整ディスク
１０６            調整ウォーム
１０６’調整ウォーム
１０７            ロックエレメント
１０７’突出部
１０８            ツールホルダ
１１０            磁石
１１１            矢印
１１２            矢印
ｔ            長さ、距離 
ｓ            長さ、距離
ｖ            調整範囲 
ｙ            パネル隙間
【図１】
0005987827.tif 000002
【図２】
0005987827.tif 000003
【図３Ａ】
0005987827.tif 000004
【図３Ｂ】
0005987827.tif 000005
【図４Ａ】
0005987827.tif 000006
【図４Ｂ】
0005987827.tif 000007
【図５Ａ】
0005987827.tif 000008
【図５Ｂ】
0005987827.tif 000009
【図６Ａ】
0005987827.tif 000010
【図６Ｂ】
0005987827.tif 000011
【図７Ａ】
0005987827.tif 000012
【図７Ｂ】
0005987827.tif 000013
【図８Ａ】
0005987827.tif 000014
【図８Ｂ】
0005987827.tif 000015
【図９Ａ】
0005987827.tif 000016
【図９Ｂ】
0005987827.tif 000017
【図１０Ａ】
0005987827.tif 000018
【図１０Ｂ】
0005987827.tif 000019
【図１１Ａ】
0005987827.tif 000020
【図１１Ｂ】
0005987827.tif 000021
【図１１Ｃ】
0005987827.tif 000022
【図１２Ａ】
0005987827.tif 000023
【図１２Ｂ】
0005987827.tif 000024
【図１３】
0005987827.tif 000025
【図１４】
0005987827.tif 000026
【図１５】
0005987827.tif 000027
【図１６Ａ】
0005987827.tif 000028
【図１６Ｂ】
0005987827.tif 000029
【図１７Ａ】
0005987827.tif 000030
【図１７Ｂ】
0005987827.tif 000031
【図１８Ａ】
0005987827.tif 000032
【図１８Ｂ】
0005987827.tif 000033
【図１９Ａ】
0005987827.tif 000034
【図１９Ｂ】
0005987827.tif 000035
【図２０】
0005987827.tif 000036
【図２１】
0005987827.tif 000037
【図２２Ａ】
0005987827.tif 000038
【図２２Ｂ】
0005987827.tif 000039
【図２２Ｃ】
0005987827.tif 000040
【図２３】
0005987827.tif 000041
【図２４】
0005987827.tif 000042
【図２５Ａ】
0005987827.tif 000043
【図２５Ｂ】
0005987827.tif 000044
【図２５Ｃ】
0005987827.tif 000045
【図２５Ｄ】
0005987827.tif 000046
【図２６Ａ】
0005987827.tif 000047
【図２６Ｂ】
0005987827.tif 000048
【図２６Ｃ】
0005987827.tif 000049
【図２６Ｄ】
0005987827.tif 000050
【図２６Ｅ】
0005987827.tif 000051
【図２７】
0005987827.tif 000052
【図２８】
0005987827.tif 000053
【図２９Ａ】
0005987827.tif 000054
【図２９Ｂ】
0005987827.tif 000055
【図３０Ａ】
0005987827.tif 000056
【図３０Ｂ】
0005987827.tif 000057
【図３１Ａ】
0005987827.tif 000058
【図３１Ｂ】
0005987827.tif 000059
【図３２Ａ】
0005987827.tif 000060
【図３２Ｂ】
0005987827.tif 000061
【図３３Ａ】
0005987827.tif 000062
【図３３Ｂ】
0005987827.tif 000063
【図３４Ａ】
0005987827.tif 000064
【図３４Ｂ】
0005987827.tif 000065
【図３５Ａ】
0005987827.tif 000066
【図３５Ｂ】
0005987827.tif 000067
【図３６Ａ】
0005987827.tif 000068
【図３６Ｂ】
0005987827.tif 000069